(57)【要約】【課題】無線通信装置内蔵テレビジョン受像機において、複数のモニタに対してそれぞれ異なる映像／音声信号の伝送を行うことを目的とする。【解決手段】チューナ側無線通信部がモニタ部Ａ、Ｂの信号選択情報をそれぞれ受信する手段と、前記モニタ部Ａの信号選択情報とモニタ部Ｂの信号選択情報を比較する手段と、モニタ部Ａ、Ｂがアンテナを選択した場合は、それぞれアンテナ部Ａ、アンテナ部Ｂを信号選択部で選択し、モニタ部Ａ、Ｂが外部入力を選択した場合は、外部入力部がそれぞれモニタ部Ｂ、Ａに使用されていない場合のみ信号選択部で選択する手段と、前記信号選択手段により選択された信号をモニタ部Ａ、ＢにそれぞれＣＨ１、ＣＨ２を用いて無線伝送する手段を備えることを特徴とする。【選択図】図１
2006254032.tif 000002
【特許請求の範囲】
【請求項１】
チューナ側無線通信部がモニタ部Ａ、Ｂの信号選択情報をそれぞれ受信する手段と、前記モニタ部Ａの信号選択情報とモニタ部Ｂの信号選択情報を比較する手段と、モニタ部Ａ、Ｂがアンテナを選択した場合は、それぞれアンテナ部Ａ、アンテナ部Ｂを信号選択部で選択し、モニタ部Ａ、Ｂが外部入力を選択した場合は、外部入力部がそれぞれモニタ部Ｂ、Ａに使用されていない場合のみ信号選択部で選択する手段と、前記信号選択手段により選択された信号をモニタ部Ａ、ＢにそれぞれＣＨ１、ＣＨ２を用いて無線伝送する手段を備えることを特徴とする無線通信装置内蔵テレビジョン受像機。
【請求項２】
チューナ側無線通信部がモニタ部Ａ、Ｂの信号選択情報をそれぞれ受信する第１のステップと、前記モニタ部Ａの信号選択情報とモニタ部Ｂの信号選択情報を比較する第２のステップと、モニタ部Ａ、Ｂがアンテナを選択した場合は、それぞれアンテナ部Ａ、アンテナ部Ｂを選択し、モニタ部Ａ、Ｂが外部入力を信号選択部で選択した場合は、外部入力部がそれぞれモニタ部Ｂ、Ａに使用されていない場合のみ信号選択部で選択する第３のステップと、前記信号選択第１のステップにより選択された信号をモニタ部Ａ、ＢにそれぞれＣＨ１、ＣＨ２を用いて無線伝送する第４のステップを具備することを特徴とする映像／音声信号伝送方法。
【請求項３】
コンピュータに、チューナ側無線通信部がモニタ部Ａ、Ｂの信号選択情報をそれぞれ受信する第１のステップと、前記モニタ部Ａの信号選択情報とモニタ部Ｂの信号選択情報を比較する第２のステップと、モニタ部Ａ、Ｂがアンテナを選択した場合は、それぞれアンテナ部Ａ、アンテナ部Ｂを信号選択部で選択し、モニタ部Ａ、Ｂが外部入力を選択した場合は、外部入力部がそれぞれモニタ部Ｂ、Ａに使用されていない場合のみ信号選択部で選択する第３のステップと、前記信号選択第１のステップにより選択された信号をモニタ部Ａ、ＢにそれぞれＣＨ１、ＣＨ２を用いて無線伝送する第４のステップを実行させるためのプログラムを記録したコンピュータ読み取り可能な記録媒体。
【請求項４】
コンピュータに、チューナ側無線通信部がモニタ部Ａ、Ｂの信号選択情報をそれぞれ受信する第１のステップと、前記モニタ部Ａの信号選択情報とモニタ部Ｂの信号選択情報を比較する第２のステップと、モニタ部Ａ、Ｂがアンテナを選択した場合は、それぞれアンテナ部Ａ、アンテナ部Ｂを信号選択部で選択し、モニタ部Ａ、Ｂが外部入力を選択した場合は、外部入力部がそれぞれモニタ部Ｂ、Ａに使用されていない場合のみ信号選択部で選択する第３のステップと、前記信号選択第１のステップにより選択された信号をモニタ部Ａ、ＢにそれぞれＣＨ１、ＣＨ２を用いて無線伝送する第４のステップを実行させるためのプログラム。
【発明の詳細な説明】
【技術分野】
【０００１】
本発明は、無線通信システム及び映像／音声信号伝送方法に関する。
【背景技術】
【０００２】
従来、選局装置と表示装置が別体で構成された無線通信システムでは、映像／音声信号の無線伝送が行われている（例えば、特許文献１参照）。
【特許文献１】特開２００１−３５８９６６号公報
【発明の開示】
【発明が解決しようとする課題】
【０００３】
上記従来の無線通信システムの構成では、複数のモニタに対して映像伝送を行うことができないという問題があった。
【０００４】
本発明は上記の問題に鑑みてなされたもので、複数のモニタに対してそれぞれ異なる映像／音声信号を伝送することが可能な無線通信装置内蔵テレビジョン受像機及び、映像／音声信号伝送方法を提供することを目的とする。
【課題を解決するための手段】
【０００５】
上記課題を解決するために、請求項１に係る無線通信装置内蔵テレビジョン受像機は、チューナ側無線通信部がモニタ部Ａ、Ｂの信号選択情報をそれぞれ受信する手段と、前記モニタ部Ａの信号選択情報とモニタ部Ｂの信号選択情報を比較する手段と、モニタ部Ａ、Ｂがアンテナを選択した場合は、それぞれアンテナ部Ａ、アンテナ部Ｂを信号選択部で選択し、モニタ部Ａ、Ｂが外部入力を選択した場合は、外部入力部がそれぞれモニタ部Ｂ、Ａに使用されていない場合のみ信号選択部で選択する手段と、前記信号選択手段により選択された信号をモニタ部Ａ、ＢにそれぞれＣＨ１、ＣＨ２を用いて無線伝送する手段を備えることで、複数のモニタに対して映像／音声信号の伝送を行うことを特徴とする。
【０００６】
また、請求項２に係る映像／音声信号伝送方法は、チューナ側無線通信部がモニタ部Ａ、Ｂの信号選択情報をそれぞれ受信する第１のステップと、前記モニタ部Ａの信号選択情報とモニタ部Ｂの信号選択情報を比較する第２のステップと、モニタ部Ａ、Ｂがアンテナを選択した場合は、それぞれアンテナ部Ａ、アンテナ部Ｂを信号選択部で選択し、モニタ部Ａ、Ｂが外部入力を選択した場合は、外部入力部がそれぞれモニタ部Ｂ、Ａに使用されていない場合のみ信号選択部で選択する第３のステップと、前記信号選択第１のステップにより選択された信号をモニタ部Ａ、ＢにそれぞれＣＨ１、ＣＨ２を用いて無線伝送する第４のステップを具備することを特徴とする。
【０００７】
また、請求項３に係る記録媒体は、上記映像／音声信号伝送方法を実施するコンピュータプログラムを記録するものであり、請求項４はそのコンピュータプログラムそのものに関するものである。
【発明の効果】
【０００８】
以上のように、本発明の無線通信装置内蔵テレビジョン受像機によれば、チューナ部からモニタ部に映像／音声信号を伝送する時、複数のモニタに対してそれぞれ異なる映像／音声信号の伝送を行うことが可能となる。
【発明を実施するための最良の形態】
【０００９】
（実施の形態１）
図１は本発明の実施の形態１による無線通信装置内蔵テレビジョン受像機の構成を説明するためのブロック図である。
【００１０】
チューナ部１０１は、地上波放送や衛星放送を受信するアンテナ部Ａ１０２と、アンテナ部Ｂ１０３と、録画、再生機器等を接続する外部入力部１０４と、アンテナ部Ａ、アンテナ部Ｂ、外部入力部からの映像／音声信号を選択する信号選択部１０５と、選択された映像／音声信号をＣＨ１及びＣＨ２で無線伝送するチューナ側無線通信部１０６、信号選択部１０５と、チューナ側無線通信部１０６を制御するマイクロコンピュータ１０７で構成されている。またモニタ部は、チューナ部１０１からＣＨ１で無線伝送された映像／音声信号を受信するモニタ部Ａ１０８と、ＣＨ２で無線伝送した映像／音声信号を受信するモニタ部Ｂ１０９で構成されている。
【００１１】
次に、本実施の形態１による無線通信装置内蔵テレビジョン受像機のチューナ部のモニタＡに対する映像／音声信号伝送方法を図２に示すフローチャートを用いて説明する。
【００１２】
チューナ側無線通信部１０６がモニタ部Ａ１０８から信号選択情報を受信し（ステップ２０１）、前記信号選択情報とモニタ部Ｂの信号選択情報を比較し（ステップ２０２）、モニタ部Ａがアンテナを選択した場合は、アンテナ部Ａを信号選択部１０５で選択し、モニタ部Ａが外部入力を選択した場合は、外部入力部がモニタ部Ｂに使用されていない場合のみ信号選択部１０５で選択し（ステップ２０３）、前記信号選択ステップにより選択された信号をモニタ部ＡにＣＨ１を用いて無線伝送する（ステップ２０４）。モニタ部Ｂに対する映像／音声伝送方法については、アンテナ部Ｂを使用、信号選択情報の比較対照がモニタＡ、ＣＨ２を用いての無線伝送となり、その他は同様である。
【００１３】
なお、本実施の形態１では、コンピュータプログラムによってそれぞれの手段が制御されることで実現され、このコンピュータプログラムをフロッピー（登録商標）ディスク等の記録媒体に記録しておくことにより、移送が可能となり、独立した他の映像／音声信号伝送機能においても容易に実施することができる。
【産業上の利用可能性】
【００１４】
本発明の無線通信装置内蔵テレビジョン受像機は、チューナ部からモニタ部に映像／音声信号を伝送する時、複数のモニタに対してそれぞれ異なる映像／音声信号の伝送を行うことが可能となり、無線通信システム及び映像／音声伝送方法に関する分野として有用である。
【図面の簡単な説明】
【００１５】
【図１】本発明の実施の形態１における無線通信装置内蔵テレビジョン受像機の構成を示すブロック図
【図２】同実施の形態１におけるチューナ部映像／音声信号選択制御の動作を示すフローチャート
【符号の説明】
【００１６】
１０１    チューナ部
１０２    アンテナ部Ａ
１０３    アンテナ部Ｂ
１０４    外部入力部
１０５    信号選択部
１０６    チューナ側無線通信部
１０７    マイクロコンピュータ
１０８    モニタ部Ａ
１０９    モニタ部Ｂ
【図１】
2006254032.tif 000003
【図２】
2006254032.tif 000004